(57)【要約】【課題】　冷蔵室用と冷凍室用との２個の蒸発器を設け、冷蔵室冷却モードと冷凍室冷却モードとを交互に実行するようにしたものにあって、冷凍室における冷凍に要する時間の短縮化を図る。【解決手段】　冷凍サイクルを、凝縮器からの冷媒をＲエバ及びＦエバに順に流して圧縮機に戻す冷蔵室冷却モードと、凝縮器からの冷媒をＦエバに流して圧縮機に戻す冷凍室冷却モードとが交互に切替えられる構成とする。冷蔵室冷却モードの実行時においても、Ｆファンを駆動し、冷凍室内の貯蔵物に冷風を供給する。急速冷凍スイッチがオン操作されると、急速冷凍運転を実行するのであるが、このときにも冷蔵室冷却モードと冷凍室冷却モードとを交互に切替える。また、この際の圧縮機、Ｆファン等の回転数を、通常時に比べて高くする。【選択図】　図１
2004003867.tif 000002
【特許請求の範囲】
【請求項１】
　冷蔵室を冷却するための冷蔵室用蒸発器と、
　冷凍室を冷却するための冷凍室用蒸発器と、
　この冷凍室用蒸発器により生成される冷気を前記冷凍室内に送る冷凍室用ファンと、
　圧縮機の駆動により循環される冷媒を、前記冷蔵室用蒸発器に流す冷蔵室冷却モードと前記冷凍室用蒸発器に流す冷凍室冷却モードとを切替える冷媒流路切替手段とを備えると共に、
　前記冷凍室を急速に冷凍する急速冷凍運転の実行が可能な冷蔵庫であって、
　前記急速冷凍運転実行時においても、前記冷媒流路切替手段により冷凍室冷却モードと冷蔵室冷却モードとが交互に切替えられると共に、
　前記急速冷凍運転実行時には、冷蔵室冷却モードであっても、前記圧縮機が通常運転時に比べて高回転数で駆動されることを特徴とする冷蔵庫。
【請求項２】
　冷蔵室を冷却するための冷蔵室用蒸発器と、
　冷凍室を冷却するための冷凍室用蒸発器と、
　この冷凍室用蒸発器により生成される冷気を前記冷凍室内に送る冷凍室用ファンと、
　圧縮機の駆動により循環される冷媒を、前記冷蔵室用蒸発器に流す冷蔵室冷却モードと前記冷凍室用蒸発器に流す冷凍室冷却モードとを切替える冷媒流路切替手段とを備えると共に、
　前記冷凍室を急速に冷凍する急速冷凍運転の実行が可能な冷蔵庫であって、
　前記急速冷凍運転実行時においても、前記冷媒流路切替手段により冷凍室冷却モードと冷蔵室冷却モードとが交互に切替えられると共に、
　前記急速冷凍運転実行時には、冷蔵室冷却モードであっても、前記冷凍室用ファンが通常運転時に比べて高回転数で駆動されることを特徴とする冷蔵庫。
【請求項３】
　急速冷凍運転の実行時においては、冷凍室の設定温度を低温側にシフトすることを特徴とする請求項１又は２記載の冷蔵庫。
【請求項４】
　圧縮機又は冷凍室用ファンを高回転数で駆動するのは、急速冷凍運転の実行開始初期の一定時間であることを特徴とする請求項１ないし３のいずれかに記載の冷蔵庫。
【請求項５】
　自動製氷装置を備えるものであって、圧縮機又は冷凍室用ファンを高回転数で駆動するのは、急速冷凍運転の実行開始から前記自動製氷装置による所定回数の製氷が行われるまでであることを特徴とする請求項１ないし３のいずれかに記載の冷蔵庫。
【請求項６】
　急速冷凍運転の実行開始初期の一定時間は、圧縮機を許容最大回転数で駆動することを特徴とする請求項１ないし５のいずれかに記載の冷蔵庫。
【請求項７】
　自動製氷装置により所定回数の製氷が行われるまでは、圧縮機を許容最大回転数で駆動することを特徴とする請求項５記載の冷蔵庫。
【請求項８】
　冷蔵室冷却モードの実行時においても、冷凍室用ファンを駆動するようにしたことを特徴とする請求項１ないし７のいずれかに記載の冷蔵庫。
【請求項９】
　急速冷凍運転の実行時における圧縮機の回転数を、外気温に応じて変動させることを特徴とする請求項１ないし８のいずれかに記載の冷蔵庫。
【請求項１０】
　除霜運転の前に冷蔵室及び冷凍室を強制冷却するプリクール運転を実行するものであって、前記プリクール運転中に、急速冷凍運転の実行が指示されたときには、前記プリクール運転を一時中断して急速冷凍運転を実行することを特徴とする請求項１ないし９のいずれかに記載の冷蔵庫。
【請求項１１】
　除霜運転中に、急速冷凍運転の実行が指示されたときには、除霜運転を優先して実行することを特徴とする請求項１ないし１０のいずれかに記載の冷蔵庫。
【発明の詳細な説明】
【技術分野】
【０００１】
　本発明は、冷蔵室用蒸発器と冷凍室用蒸発器との２つの蒸発器を備える冷蔵庫に関するものである。
【背景技術】
【０００２】
　従来より、家庭用冷蔵庫にあっては、冷蔵庫本体の背面側に設けられた蒸発器室内に１個の蒸発器を備え、この蒸発器によって生成される冷気をファンによって冷凍室に供給すると共に、ダンパの開閉によりその冷気の一部を必要に応じて冷蔵室（及び野菜室）に供給する構成が一般的であった。ところが、この構成では、蒸発器室内に、野菜室等からの湿気を十分に含んだ空気が循環されるため、蒸発器における着霜が比較的多くなるものとなっていた。
【０００３】
　そこで、近年、冷蔵室用と冷凍室用との２個の蒸発器を設けるようにした冷蔵庫が、本発明者等により考えられている。このものは、冷蔵庫本体の上部側の冷蔵室（野菜室）の背面側に、冷蔵室用蒸発器及び冷蔵室用ファンを有した冷蔵室用蒸発器室が設けられ、下部側の冷凍室の背面側に、冷凍室用蒸発器及び冷凍室用ファンを有した冷凍室用蒸発器室が設けられる。
【０００４】
　そして、この場合、冷凍サイクルは、凝縮器からの冷媒を第１のキャピラリチューブを通して冷蔵室用蒸発器及び冷凍室用蒸発器室に順に流して圧縮機に戻す冷蔵室冷却モードと、凝縮器からの冷媒を第２のキャピラリチューブを通して冷凍室用蒸発器室に流して圧縮機に戻す冷凍室冷却モードとが交互に切替えられるようになっている。尚、冷蔵室冷却モードにおいては冷蔵室用ファンが駆動され、冷凍室冷却モードにおいては冷凍室用ファンが駆動される。
【０００５】
　これにより、冷蔵室用蒸発器室には、冷蔵室の比較的温度の高い（例えば＋３℃）冷気が流通するので、冷蔵室用蒸発器に着霜が生じようとしても速やかに溶けるようになり、一方、冷凍室用蒸発器室には、野菜室等の湿気の多い空気は流通せず乾燥した空気が流通するだけなので、冷凍室用蒸発器の着霜自体が少なくなり、もって、各蒸発器の着霜を極力抑えて冷却能力の向上などを図ることができるのである。
【発明の開示】
【発明が解決しようとする課題】
【０００６】
　ところで、この種の冷蔵庫にあっては、上記した冷蔵室冷却モードにおいて、凝縮器からの冷媒は、冷蔵室用蒸発器においてほとんどが気化し、既に気体となった状態で冷凍室用蒸発器に送られるので、冷凍室用蒸発器での冷媒の熱交換はほとんど行われないものとなっている。このため、冷蔵室冷却モードの実行時には、冷凍室内への冷気の供給が停止し、その分だけ、例えば食品の冷凍あるいは製氷に要する時間がかかってしまうものとなり、改善の余地が残されている。
【０００７】
　本発明は上記事情に鑑みてなされたもので、冷蔵室用と冷凍室用との２個の蒸発器を設け、冷蔵室冷却モードと冷凍室冷却モードとを交互に実行するようにしたものにあって、冷凍室における冷凍に要する時間の短縮化を図ることができる冷蔵庫を提供するにある。
【課題を解決するための手段】
【０００８】
　本発明の冷蔵庫は、冷蔵室を冷却するための冷蔵室用蒸発器と、冷凍室を冷却するための冷凍室用蒸発器と、この冷凍室用蒸発器により生成される冷気を前記冷凍室内に送る冷凍室用ファンと、圧縮機の駆動により循環される冷媒を、前記冷蔵室用蒸発器に流す冷蔵室冷却モードと前記冷凍室用蒸発器に流す冷凍室冷却モードとを切替える冷媒流路切替手段とを備えると共に、前記冷凍室を急速に冷凍する急速冷凍運転の実行が可能なものにあって、前記急速冷凍運転実行時においても、前記冷媒流路切替手段により冷凍室冷却モードと冷蔵室冷却モードとが交互に切替えられると共に、前記急速冷凍運転実行時には、冷蔵室冷却モードであっても、前記圧縮機が通常運転時に比べて高回転数で駆動されるところに特徴を有する（請求項１の発明）。
【０００９】
　これによれば、冷蔵室冷却モードが実行されると、冷媒は冷蔵室用蒸発器にて熱交換を行い、冷蔵室が冷却されるようになり、冷凍室冷却モードが実行されると、冷媒は冷凍室用蒸発器にて熱交換を行い、冷凍室が冷却されるようになる。このような冷蔵室冷却モードと冷凍室冷却モードとが、冷却モード切替手段によって交互に切替えられることにより、冷蔵室及び冷凍室の双方が冷却されるようになる。
【００１０】
　ここで、冷凍室を急速に冷却する急速冷凍運転の実行が可能とされていることにより、使用者が貯蔵物を速やかに冷凍させたいあるいは速やかに多量の氷を得たい場合に有効となる。ところが、この急速冷凍運転時において、冷凍室冷却モードのみを実行すれば、冷蔵室の温度上昇が大きくなる虞がある。そこで、急速冷凍運転の実行時においても、冷媒流路切替手段により冷凍室冷却モードと冷蔵室冷却モードとが交互に切替えられる構成としたことにより、冷蔵室の低温を維持することができる。しかも、急速冷凍運転の実行時において、圧縮機を通常運転時に比べて高回転数で駆動することにより、蒸発器への冷媒供給量を増やして冷却能力を向上させることができる。
【００１１】
　また、本発明の冷蔵庫は、冷蔵室を冷却するための冷蔵室用蒸発器と、冷凍室を冷却するための冷凍室用蒸発器と、この冷凍室用蒸発器により生成される冷気を前記冷凍室内に送る冷凍室用ファンと、圧縮機の駆動により循環される冷媒を、前記冷蔵室用蒸発器に流す冷蔵室冷却モードと前記冷凍室用蒸発器に流す冷凍室冷却モードとを切替える冷媒流路切替手段とを備えると共に、前記冷凍室を急速に冷凍する急速冷凍運転の実行が可能なものにあって、前記急速冷凍運転実行時においても、前記冷媒流路切替手段により冷凍室冷却モードと冷蔵室冷却モードとが交互に切替えられると共に、前記急速冷凍運転実行時には、冷蔵室冷却モードであっても、前記冷凍室用ファンが通常運転時に比べて高回転数で駆動されるところに特徴を有する（請求項２の発明）。
【００１２】
　これによれば、冷蔵室冷却モードが実行されると、冷媒は冷蔵室用蒸発器にて熱交換を行い、冷蔵室が冷却されるようになり、冷凍室冷却モードが実行されると、冷媒は冷凍室用蒸発器にて熱交換を行い、冷凍室が冷却されるようになる。このような冷蔵室冷却モードと冷凍室冷却モードとが、冷却モード切替手段によって交互に切替えられることにより、冷蔵室及び冷凍室の双方が冷却されるようになる。
【００１３】
　ここで、冷凍室を急速に冷却する急速冷凍運転の実行が可能とされていることにより、使用者が貯蔵物を速やかに冷凍させたいあるいは速やかに多量の氷を得たい場合に有効となる。ところが、この急速冷凍運転時において、冷凍室冷却モードのみを実行すれば、冷蔵室の温度上昇が大きくなる虞がある。そこで、急速冷凍運転の実行時においても、冷媒流路切替手段により冷凍室冷却モードと冷蔵室冷却モードとが交互に切替えられる構成としたことにより、冷蔵室の低温を維持することができる。しかも、急速冷凍運転の実行時において、冷凍室用ファンを通常運転時に比べて高回転数で駆動することにより、冷凍室用ファンの駆動による冷凍貯蔵物あるいは製氷皿に対する冷風の供給がより促進されるので、冷凍能力を向上させることができる。
【００１４】
　このとき、急速冷凍運転の実行時においては、冷凍室の設定温度を低温側にシフトするようにしても良く（請求項３の発明）、これにより、冷凍室の温度をより低くするように、冷凍室冷却モードにより冷凍室側を冷却する割合を高めることができるようになる。
　ところで、圧縮機や冷凍室用ファンを通常運転時よりも高回転数で駆動すれば、冷却能力を高めることができるが、その反面、騒音の増加や冷凍室の冷え過ぎによる露付きを招くことになる。そこで、圧縮機や冷凍室用ファンを高回転数で駆動するのを、急速冷凍運転の実行開始初期の一定時間としたり（請求項４の発明）、急速冷凍運転の実行開始初期の自動製氷装置により所定回数の製氷が行われるまでの期間としたり（請求項５の発明）しても良く、いずれも、急速冷凍運転の目的を果たしながら、圧縮機又は冷凍室用ファンの回転数を必要以上に上げることを防止することができる。
【００１５】
　あるいは、急速冷凍運転の実行開始初期の一定時間については、圧縮機を許容最大回転数で駆動する構成としたり（請求項６の発明）、急速冷凍運転の実行開始初期の自動製氷装置により所定回数の製氷が行われるまでの期間については、圧縮機を許容最大回転数で駆動する構成としたりしても良く（請求項７の発明）、いずれも、急速冷凍運転における冷却能力をより一層高めることができながら、圧縮機の回転数を必要以上に上げることを防止することができる。
【００１６】
　ここで、冷蔵室冷却モードの実行時においては、冷凍室用蒸発器における冷媒の熱交換が行われない事情があるが、このとき冷凍室用蒸発器の表面の温度は、冷凍貯蔵物あるいは製氷皿よりも十分な低温にあるので、冷蔵室冷却モードの実行時においても冷凍室用ファンを駆動することにより（請求項８の発明）、冷凍貯蔵物あるいは製氷皿に冷風が供給されるようになる。この冷風の供給が、冷凍貯蔵物あるいは製氷皿に対する一定の冷却に寄与されるようになる。
【００１７】
　また、急速冷凍運転の実行時における圧縮機の回転数を、外気温に応じて変動させるように構成することもでき（請求項９の発明）、これによっても、急速冷凍運転の目的を果たしながら、室温に応じて、圧縮機の回転数を必要以上に上げることを防止することができる。
　そして、除霜運転の前に冷蔵室及び冷凍室を強制冷却するプリクール運転を実行するものにあっては、プリクール運転中に、急速冷凍運転の実行が指示されたときには、プリクール運転を一時中断して急速冷凍運転を実行することが望ましく（請求項１０の発明）、これにより、速やかに氷が欲しい等の使用者の要望に応えることができる。
【００１８】
　さらには、除霜運転中に、急速冷凍運転の実行が指示されたときには、急速冷凍運転を優先させるのではなく、除霜運転を優先して実行することが望ましい（請求項１１の発明）。これにより、蒸発器の冷却性能を回復させた状態で、その後の冷却を行うことができ、より効率的となる。
【発明の効果】
【００１９】
　本発明の冷蔵庫によれば、冷蔵室用と冷凍室用との２個の蒸発器を設け、冷蔵室冷却モードと冷凍室冷却モードとを交互に実行することによって冷蔵室及び冷凍室の双方を冷却すると共に、冷凍室を急速に冷却する急速冷凍運転の実行を可能としたものにあって、急速冷凍運転の実行時においても、冷媒流路切替手段により冷凍室冷却モードと冷蔵室冷却モードとを交互に切替える構成とすると共に、圧縮機あるいは冷凍室用ファンを通常運転時に比べて高回転数で駆動するようにしたので、急速冷凍運転時における冷蔵室の温度を保持しつつ、冷凍室における冷凍能力を向上させることができるという優れた効果を奏するものである。
【発明を実施するための最良の形態】
【００２０】
　以下、本発明の第１の実施例について、図１ないし図７を参照しながら説明する。まず、図４は、本実施例に係るボトムフリーザタイプの冷蔵庫の本体１の構成を概略的に示している。ここで、冷蔵庫本体１は、前面が開口した縦長矩形箱状の断熱箱体２内に、上段から順に、冷蔵室３、野菜用冷蔵室４、製氷用冷凍室５、冷凍室６を有して構成されている。また、本体１の前面には、上段から順に、前記各貯蔵室３〜６を夫々開閉するための、ヒンジ開閉式の断熱扉７、引出式の断熱扉８，９，１０が設けられている。
【００２１】
　前記冷蔵室３及び野菜用冷蔵室４（これら２室が本発明にいう「冷蔵室」となる）は、共に例えば２〜５℃の温度帯とされるようになっており、それら両冷蔵室３，４の間は仕切板１１により上下に区画されている。又、冷蔵室３内は、棚板１２により上下に複数段に区切られると共に、その最下部にチルド・パーシャルルーム１３が設けられている。
【００２２】
　図示はしないが、チルド・パーシャルルーム１３の側部には、後述する自動製氷装置の製氷皿に対する給水を行う給水タンク及び給水ユニットが設けられている。前記野菜用冷蔵室４内には、蓋１４ａ付きの貯蔵容器１４が、前記断熱扉８の裏面側に連結されて出し入れ可能に設けられている。尚、前記冷蔵室３には、該冷蔵室３内の温度を検出するＲ室温センサ１５（図２にのみ図示）が設けられている。
【００２３】
　一方、前記製氷用冷凍室５及び冷凍室６（これら２室が本発明にいう「冷凍室」となる）は、共に例えば−１８〜−２１℃の温度帯とされるようになっており、それら両冷凍室５，６は、前面開口部分のみにおいて仕切体１６が設けられ、本体１の内部において連通した状態に設けられている。また、前記野菜用冷蔵室４と製氷用冷凍室５との間は前記断熱箱体２に一体に設けられた断熱仕切壁１７により区画されている。前記製氷用冷凍室５には、上部に位置して自動製氷装置１８が配設されており、その下部に位置して氷受容器１９が前記断熱扉９の裏面に連結されて出し入れ可能に設けられている。
【００２４】
　前記自動製氷装置１８は、周知のように、前記給水ユニットから給水される製氷皿２０、この製氷皿２０の温度により製氷完了を検知する製氷完了検知センサ２１（図２にのみ図示）、製氷が完了した製氷皿２０を反転させて離氷を行わせる離氷モータ２２（図２にのみ図示）等を備えて構成されている。また、前記冷凍室６内には、貯蔵容器２３が、前記断熱扉１０の裏面側に連結されて出し入れ可能に設けられている。尚、この冷凍室６には、該冷凍室６内の温度を検出するＦ室温センサ２４（図２にのみ図示）が設けられている。
【００２５】
　そして、この本体１には、後述する冷凍サイクル２５が組込まれる。このとき、前記野菜用冷蔵室４の背面側部分には、冷蔵室用蒸発器室２６が設けられており、この冷蔵室用蒸発器室２６内には、冷凍サイクル２５の一部を構成する冷蔵室用蒸発器２７（以下「Ｒエバ２７」と略す）が設けられていると共に、その上部に位置して冷蔵室用ファン２８（以下「Ｒファン２８」と略す）が設けられている。尚、前記Ｒファン２８（ファンモータ）は、可変速にて駆動されるようになっている。
【００２６】
　これにて、前記Ｒファン２８が駆動されることにより、Ｒエバ２７を通して生成された冷気が、前記冷蔵室３及び野菜用冷蔵室４に供給され、貯蔵物の冷却に供された後、再び冷蔵室用蒸発器室２６内の下部に戻されるという循環が行われるようになっている。また、図２にのみ示すように、この冷蔵室用蒸発器室２６内には、冷蔵室用蒸発器除霜ヒータ（Ｒエバ除霜ヒータ）２９が設けられていると共に、Ｒエバ２７の除霜完了を検知するＲエバ除霜センサ３０が設けられている。
【００２７】
　これに対し、前記製氷用冷凍室５及び冷凍室６の上下に跨がる背面側部分には、冷凍室用蒸発器室３１が設けられており、この冷凍室用蒸発器室３１内には、冷凍サイクル２５の一部を構成する冷凍室用蒸発器３２（以下「Ｆエバ３２」と略す）が設けられていると共に、その上部に位置して冷凍室用ファン３３（以下「Ｆファン３３」と略す）が設けられている。また、前記Ｆエバ３２の下方部には、冷凍室用蒸発器除霜ヒータ（Ｆエバ除霜ヒータ）３４が設けられていると共に、Ｆエバ３２の除霜完了を検知するＦエバ除霜センサ３５（図２にのみ図示）が設けられている。
【００２８】
　これにて、前記Ｆファン３３が駆動されることにより、Ｆエバ３２を通して生成された冷気が、前記製氷用冷凍室５及び冷凍室６に供給され、貯蔵物の冷却に供された後、再び冷凍室用蒸発器室３１内の下部に戻されるという循環が行われるようになっている。尚、前記Ｆファン３３（ファンモータ）も、可変速にて駆動されるようになっている。
【００２９】
　さらに、本体１の下端部背面部には、機械室３６が設けられ、この機械室３６内には、冷凍サイクル２５の一部を構成する圧縮機（コンプレッサ）３７が設けられていると共に、図２にのみ示すように、その機械室３６内には、前記圧縮機３７及び後述するコンデンサを冷却するために冷却ファン３８（以下「Ｃファン３８」と称する）が設けられている。前記圧縮機３７は、インバータ制御により可変速で駆動されるようになっており、また、前記Ｃファン３８も可変速駆動されるようになっている。
【００３０】
　尚、図示はしないが、前記冷蔵室用蒸発器室２６内及び冷凍室用蒸発器室３１内において生ずる除霜水は、前記機械室３６内に導かれて、前記圧縮機３７の上方部に設けられた除霜水蒸発皿に溜められるようになっている。そして、除霜水蒸発皿に溜められた除霜水は、圧縮機３７の熱及び蒸発パイプ３９の熱により蒸発して外部に排出されるようになっている。
【００３１】
　図３は、前記冷凍サイクル２５の構成を示している。この冷凍サイクル２５は、前記圧縮機３７、前記蒸発パイプ３９、コンデンサ（凝縮器）４０、クリンパイプ４１、ドライヤ４２、冷媒流路切替手段たる三方弁４３、この三方弁４３の第１出口に接続される第１のキャピラリチューブ４４、前記Ｒエバ２７、前記Ｆエバ３２、アキュムレータ４５を順に冷媒パイプにより閉ループに接続すると共に、前記三方弁４３の第２出口と、前記Ｒエバ２７とＦエバ３２との接続点との間に第２のキャピラリチューブ４６を接続して構成されている。
【００３２】
　これにて、前記三方弁４３が第１出口側に切替えられているときには、圧縮機３７の駆動により冷媒がコンデンサ４０等を通った後、第１のキャピラリチューブ４４を通ってＲエバ２７及びＦエバ３２を順に流れて圧縮機３７に戻されるようになっている（冷蔵室冷却モード）。これに対し、三方弁４３が第２出口側に切替えられると、圧縮機３７の駆動により冷媒がコンデンサ４０等を通った後、第２のキャピラリチューブ４６を通ってＦエバ３２のみに供給された後、圧縮機３７に戻されるようになっている（冷凍室冷却モード）。
【００３３】
　さて、図２に示すように、本体１には、マイコン等から構成される制御装置４７が設けられている。この制御装置４７には、前記Ｒ室温センサ１５、Ｆ室温センサ２４、製氷完了検知センサ２１、Ｒエバ除霜センサ３０、Ｆエバ除霜センサ３５からの信号が入力されると共に、庫外の温度を検出する外気温センサ４８、及び、急速冷凍運転を実行したい時に使用者により操作される急速冷凍スイッチ４９からの信号が入力されるようになっている。
【００３４】
　また、制御装置４７は、それら入力信号に基づいて、前記圧縮機３７、三方弁４３、Ｃファン３８、Ｒファン２８、Ｆファン３３、Ｒエバ除霜ヒータ２９、Ｆエバ除霜ヒータ３４、自動製氷装置１８の給水ユニットや離氷モータ２２等を制御するようになっている。このとき、制御装置４７は、前記圧縮機３７を可変速（例えばインバータの運転周波数が３０〜７０Ｈｚ）で駆動すると共に、Ｒファン２８、Ｆファン３３を可変速（例えば１８００〜２４００rpm ）で駆動するようになっている。また、Ｃファン３８は、圧縮機３７がオンされているときにオンされ、圧縮機３７が許容最大回転数（周波数７０Ｈｚ）で駆動されているときには例えば２０００rpm で駆動され、その他の場合には、例えば１８００rpm で駆動されるようになっている。
【００３５】
　後の作用説明でも述べるように、制御装置４７は、三方弁４３の切替えにより、冷媒をＲエバ２７に流して主として冷蔵室３，４を冷却する冷蔵室冷却モード  （Ｒ−Ｆ流し）と、冷媒をＦエバのみに流して冷凍室５，６を冷却する冷凍室冷却モード（Ｆのみ流し）とを交互に切替えながら冷却運転（通常運転）を実行するようになっている。この場合、制御装置４７は、冷蔵室３，４及び冷凍室５，６の夫々について、設定温度に対して所定幅のＯＮ温度及びＯＦＦ温度を設定し、前記Ｒ室温センサ１５及びＦ室温センサ２４の検出温度に基づいて三方弁４３を切替えるように構成されている。
【００３６】
　また、制御装置４７はＲ室温センサ１５及びＦ室温センサ２４の検出温度等に基づいて圧縮機３７のオン，オフ及び回転数（運転周波数）の制御を行うようになっていると共に、その圧縮機３７のオン，オフ制御に合わせてＣファン３８のオン，オフ制御を行うようになっている。そして、制御装置４７は、冷蔵室冷却モードの実行時にはＲファン２８をオンさせ、冷凍室冷却モードの実行時にはＦファン３３をオンさせるのであるが、このとき、冷蔵室冷却モードの実行時にもＦファン３３を駆動させるように構成されている。
【００３７】
　そして、本実施例では、制御装置４７は、前記急速冷凍スイッチ４９がオン操作されたときには、冷凍室５，６を急速に冷却する急速冷凍運転を実行する。この急速冷凍運転においては、前記圧縮機３７を通常運転時よりも高速（高周波数）で運転すると共に、冷凍室５，６の設定温度を低温側にシフトさせるようになっている。尚、急速冷凍運転は、例えば氷受容器１９が氷で満杯になったとき、あるいは、例えば１０回の離氷動作が完了したときに終了される。
【００３８】
　このとき、特に本実施例では、急速冷凍運転の実行開始初期においては、圧縮機３７を許容最大回転数（周波数で例えば７０Ｈｚ）で駆動するようになっている。また、急速冷凍運転時にも、Ｒ室温センサ１５及びＦ室温センサ２４の検出温度等に基づいて冷凍室冷却モードと冷蔵室冷却モードとを交互に実行するようになっている。更には、この急速冷凍運転時には、前記Ｆファン３３の回転数を通常時よりも高くするようになっている。
【００３９】
　さらに、制御装置４７は、例えば冷凍室５，６の積算冷却時間が所定時間（例えば１０時間）になる毎に、プリクール運転を実行した後、除霜運転を実行するようになっている。このうちプリクール運転は、まず、冷凍室５，６の設定温度を低温側に例えば３deg シフトした状態で、圧縮機３７を高回転数で連続的に駆動して冷凍室冷却モードを実行して冷凍室５，６を強制的に冷却し、その後、冷蔵室冷却モードに切替えて冷蔵室３，４を強制冷却することにより行われる。
【００４０】
　また、前記除霜運転は、圧縮機３７や各ファン２８，３３，３８を停止した状態で、Ｒエバ除霜ヒータ２９及びＦエバ除霜ヒータ３４に通電することにより実行され、Ｒエバ除霜センサ３０及びＦエバ除霜センサ３５の検出に基づいて終了される。このとき、本実施例では、プリクール運転中に前記急速冷凍スイッチ４９がオン操作されたときには、急速冷凍運転を例えば１回の製氷が完了するまで実行した後、プリクール運転を再度実行するようになっている。また、除霜運転中に急速冷凍スイッチ４９がオン操作されたときには、除霜運転を優先させ、除霜運転終了後に急速冷凍運転を実行するようになっている。
【００４１】
　次に、上記構成の作用について述べる。図１のタイミングチャートは、制御装置４７が、通常運転及び、その途中で急速冷凍スイッチ４９がオン操作されて急速冷凍運転を実行する際における、圧縮機３７、Ｒファン２８、Ｆファン３３、三方弁４３の制御の様子を示している。また、図５のタイミングチャートは、プリクール運転及び除霜運転時における制御の様子を示している。尚、図１及び図５では、三方弁４３が、第１のキャピラリチューブ４４側に切替えられている状態を「Ｒ−Ｆ流し」、第２のキャピラリチューブ４６側に切替えられている状態を「Ｆのみ流し」と表記している。
【００４２】
　＜通常運転時の制御＞
　まず、通常運転時の制御について述べる。この通常運転時には、上述のように、Ｒ室温センサ１５及びＦ室温センサ２４の検出温度に基づく三方弁４３の切替えによって、主として冷蔵室３，４を冷却する冷蔵室冷却モード（Ｒ−Ｆ流し）と、冷凍室５，６を冷却する冷凍室冷却モード（Ｆのみ流し）とが交互に切替えられる。これにて、冷蔵室３，４と冷凍室５，６とが交互に冷却されながら、全ての貯蔵室３〜６内の温度が設定温度付近に維持されるのである。
【００４３】
　この場合、冷蔵室３，４については、例えばＯＮ温度が５℃、ＯＦＦ温度が２℃に設定され、冷凍室５，６については、例えばＯＮ温度が−１８℃、ＯＦＦ温度が−２１℃に設定される。そして、モードが切替えられる条件としては、（１）冷却中の室の検出温度がＯＦＦ温度に達したとき、（２）回のモード切替から１０分以上が経過し且つ非冷却中の室の検出温度がＯＮ温度に達したとき、（３）前回のモード切替から６０分が経過したとき、のいずれかの場合とされている。尚、図示はしていないが、両室の検出温度が双方ともＯＦＦ温度であるときには、圧縮機３７がオフされる。
【００４４】
　このとき、詳しい説明は省略するが、圧縮機３７は、可変速（例えば周波数が３０〜４８Ｈｚ）で駆動されるようになっており、負荷（センサ１５，２４の検出温度と設定温度との差）に応じ、負荷が小さいときには、低回転数（低周波数）で駆動され、もって冷凍サイクルの効率を上げて省エネを図るようになっている。また、Ｒファン２８は、冷蔵室冷却モード時に例えば１８００〜２０００rpm にて駆動され、冷凍室冷却モードに切替えられたときには、Ｒエバ２７の除霜を図るために所定の短時間（例えば５分間）だけ継続して駆動された後、停止されるようになっている。
【００４５】
　そして、Ｆファン３３は、冷凍室冷却モード時に例えば１８００〜２０００rpm にて駆動されることは勿論、冷蔵室冷却モード時にも駆動されるようになっている。尚、図示はしないが、圧縮機３７の停止時には、Ｒファン２８及びＦファン３３は停止される。
　これにより、冷蔵室冷却モードの実行時においては、Ｆエバ３２における冷媒の熱交換が行われない事情があるが、このときＦエバ３２の表面の温度は、冷凍貯蔵物あるいは製氷皿２０よりも十分な低温（例えば−２２℃）にあるので、Ｆファン３３が駆動されることにより、冷凍貯蔵物あるいは製氷皿２０に冷風が供給されるようになる。従って、この冷風の供給により、冷凍貯蔵物あるいは製氷皿２０に対する一定の冷却に寄与させることができるのである。
【００４６】
　また、このように２個の蒸発器２７，３２を設けたことにより、前記冷蔵室用蒸発器室２６には、冷蔵室３，４の比較的湿気の多い空気が流通するが、冷凍室冷却モードに切替えられたときにもＲファン２８を所定時間だけ駆動して、比較的温度の高い空気（例えば＋３℃）をＲエバ２７に流通させるようにしたので、Ｒエバ２７に着霜が生じようとしても速やかに溶けるようになる。一方、冷凍室用蒸発器室３１には、野菜用冷蔵室４等のような湿気の多い空気は流通せず乾燥した空気が流通するだけなので、Ｆエバ３２の着霜自体が少なくなり、もって高い冷却能力を得ることができるのである。
【００４７】
　＜急速冷凍運転時の制御＞
　次に、急速冷凍運転時の制御について述べる。使用者は、貯蔵物を速やかに冷凍させたいあるいは速やかに多量の氷を得たい場合に、急速冷凍スイッチ４９をオン操作する。すると、制御装置４７は、図１に示すような制御を行う。即ち、この急速冷凍運転時には冷凍室５，６の設定温度が、低温側にシフトされると共に、圧縮機３７が通常運転時よりも高い回転数（周波数）で連続運転されるようになる。ここでは、例えば冷凍室５，６側におけるＯＮ温度が−２６℃、ＯＦＦ温度が−３０℃にシフトされる。
【００４８】
　このとき、図１では、まず冷凍室冷却モードが実行されるのであるが、その後、冷蔵室３，４側の温度がＯＮ温度に達したときには、冷蔵室冷却モードとなるように三方弁４３が切替えられ、冷蔵室３，４側の温度がＯＮ温度に達したら再び冷凍室冷却モードに切替えられるというように、冷却モードが交互に切替えられる。尚、急速冷凍運転の開始時に、どちらの冷却モードから実行するかは、設定温度と検出温度との差が大きい方の室を先に冷却するべく選択すれば良く、条件が同等ならば冷凍室冷却モードが優先的に開始される。
【００４９】
　そして、上述のように、この急速冷凍運転の実行時においては、圧縮機３７が通常運転時よりも高回転数で駆動されるのであるが、ここでは、図１に示すように、開始初期の一定時間は許容最大回転数（最大周波数７０Ｈｚ）で駆動され、その後、回転数が段階的に小さく（この場合、６２Ｈｚ，５３Ｈｚ）されるようになっている。また、Ｒファン２８についても、冷蔵室冷却モードの実行時にオンされるのであるが、この際の回転数が、通常運転時よりも高い回転数（例えば２４００rpm ）とされるようになっている。
【００５０】
　さらに、Ｆファン３３については、やはり冷蔵室冷却モードの実行時にも駆動される（急速冷凍運転の実行中はずっと連続駆動）ようになっている。そして、急速冷凍運転の実行時においては、このＦファン３３も通常運転時よりも高回転数で駆動される。このとき、圧縮機３７が許容最大回転数にて駆動されている期間は、Ｆファン３３も最大回転数（例えば２４００rpm ）とされ、圧縮機３７の回転数が、一段下げられた後は、それよりやや低い回転数（例えば２０００rpm ）とされるようになっている。
【００５１】
　これにて、急速冷凍運転の実行時においては、冷凍室５，６の設定温度を低温側にシフトしたので、通常運転時に比べて、冷凍室冷却モードにより冷凍室５，６側を冷却する時間の割合を高めることができ、しかも、圧縮機３７を通常運転時に比べて高回転数で駆動するようにしたので、Ｆエバ３２への冷媒供給量を増やして冷却能力を向上させることができる。これにより、冷凍室５，６を短時間で急速に冷却することができるのである。
【００５２】
　また、この急速冷凍運転時においても、冷凍室冷却モードと冷蔵室冷却モードとが交互に切替えられるので、冷蔵室３，４の温度が上昇することを防止でき、冷蔵室３，４の低温を維持することができる。そして、この急速冷凍運転の実行時において、冷凍室用Ｆファン３３を通常運転時に比べて高回転数で駆動するようにしたので、Ｆファンの駆動による冷凍貯蔵物あるいは製氷皿２０に対する冷風の供給がより促進され、高い冷却能力を得ることができる。冷蔵室冷却モードにおける、冷凍室５，６の冷却能力も向上させることができる。
【００５３】
　さらには、圧縮機３７を許容最大回転数で駆動するのを、急速冷凍運転の実行開始初期の一定時間に止めるようにしたので、急速冷凍運転の目的を果たしながら、圧縮機３７の回転数を必要以上に上げることをせずに済ませることができ、騒音の発生等の不具合を極力抑えることができるものである。
【００５４】
　＜除霜運転に関連する制御＞
　最後に、除霜運転に関連する制御について述べる。上述のように、制御装置４７は、冷凍室５，６の積算冷却時間が所定時間（例えば１０時間）になる毎に、プリクール運転を実行した後、除霜運転を実行する。ここでは、図５に示すように、まず、冷凍室５，６の設定温度を低温側にシフトして、冷凍室冷却モードを実行し、冷凍室５，６の強制冷却がなされる。このとき、圧縮機３７は許容最大回転数（７０Ｈｚ）で駆動されると共に、Ｆファン３３が高回転数（２４００rpm ）で回転駆動される。この冷凍室冷却モードは、冷凍室５，６の温度がＯＦＦ温度に達するまであるいは１０分間が経過するまで実行される。
【００５５】
　次に、三方弁４３が切替えられて冷蔵室冷却モードを実行し、冷蔵室３，４の強制冷却がなされる。ここでも、圧縮機３７は許容最大回転数（７０Ｈｚ）で駆動されると共に、Ｒファン２８及びＦファン３３が高回転数（２４００rpm ）で回転駆動される。この冷蔵室冷却モードは、冷蔵室３，４の温度がＯＦＦ温度に達するまであるいは１０分間が経過するまで実行される。
【００５６】
　そして、除霜運転が行われるのであるが、この除霜運転は、圧縮機３７や各ファン２８，３３，３８を停止した状態で、Ｒエバ除霜ヒータ２９及びＦエバ除霜ヒータ３４に通電することにより行なわれ、Ｒエバ除霜センサ３０及びＦエバ除霜センサ３５の検出に基づいて終了される。
【００５７】
　この除霜運転が終了した後は、通常運転となるのであるが、ここでは、冷凍室５，６の温度が大きく上昇していて設定温度との差が大きいので、冷凍室冷却モードから開始される。そして、そのときの負荷（検出温度と設定温度との差）が非常に大きいので、圧縮機３７の回転数が最大とされ、Ｆファン３３も高回転数で駆動される。これにて、速やかに冷凍室５，６の温度を低下させることができる。この後は、冷蔵室３，４がＯＮ温度となって冷蔵室冷却モードに切替えられるというように、上記したと同様の通常制御が繰返される。
【００５８】
　ところで、上記したプリクール運転中あるいは除霜運転中に、使用者により急速冷凍スイッチ４９がオン操作されることも考えられる。そこで、本実施例では、制御装置４７は、図６及び図７のフローチャートに示すような制御を行う。即ち、図６に示すように、プリクール運転中には、常に急速冷凍スイッチ４９が監視され（ステップＳ１）、急速冷凍スイッチ４９がオン操作されずに（ステップＳＳ１にてＮｏ）、プリクール運転が終了した場合には（ステップＳ２にてＹｅｓ）、そのまま除霜運転へ進む（ステップＳ３）。
【００５９】
　これに対し、プリクール運転中に急速冷凍スイッチ４９がオン操作されたときには（ステップＳ１にてＹｅｓ）、プリクール運転が停止されて（ステップＳ４）、急速冷凍運転が実行される（ステップＳ５）。この場合、この急速冷凍運転は、自動製氷装置１８による１回の製氷（離氷）が完了するまで行われ（ステップＳ６）、急速冷凍運転が終了すると（ステップＳ７）、再びプリクール運転が実行される（ステップＳ８）。これにより、早急に氷が欲しい等の使用者の要望に応えながらも、急速冷凍運転を短時間で終了してその後速やかにプリクール運転ひいては除霜運転を実行することができるのである。
【００６０】
　そして、図７に示すように、除霜運転中にも、急速冷凍スイッチ４９が監視され（ステップＳ１１）、急速冷凍スイッチ４９がオン操作されたときには（ステップＳ１１にてＹｅｓ）、フラグＦを１とする（ステップＳ１２）。そして、そのまま除霜運転を続行し、除霜運転が終了したときに（ステップＳ１３にてＹｅｓ）、フラグＦが１となっているかどうかを判断し（ステップＳ１４）、１となっていたときには（ステップＳ１４にてＹｅｓ）、急速冷凍運転を実行するものである（ステップＳ１５）。
【００６１】
　つまり、除霜運転中に急速冷凍スイッチ４９がオン操作されても、除霜運転を優先して実行し、除霜運転終了後に急速冷凍運転を実行するものである。これにより、Ｒエバ２７及びＦエバ３２の冷却性能を回復させた状態で、その後の冷却を行うことができ、より効率的となる。尚、図示はしないが、急速冷凍運転中に、除霜運転を実行すべきタイミングとなったときには、急速冷凍運転の終了までの残り時間が短いとき（例えば３０分以内あるいはその時点での製氷が離氷温度近くまで進んでいるとき）には、急速冷凍運転を終了させてから除霜運転に移行するようになっている。
【００６２】
　このように本実施例によれば、次のような効果を得ることができる。即ち、Ｒエバ２７とＦエバ３２との２個の蒸発器を設けて、冷蔵室冷却モードと冷凍室冷却モードとを交互に切替える構成としたので、Ｒエバ２７及びＦエバ３２に対する着霜を少なくすることができて、Ｒエバ２７及びＦエバ３２の冷却能力の向上を図ることができ、ひいてはＲエバ２７及びＦエバ３２の小形化や、除霜運転の頻度の減少による効率化等を図ることができる。
【００６３】
　そして、このように冷蔵室冷却モードと冷凍室冷却モードとを交互に実行するものにあって、冷蔵室冷却モードの実行時にもＦファン３３を駆動するようにしたので、冷凍室５，６内の冷凍貯蔵物あるいは製氷皿２０に冷風を供給して一定の冷却に寄与させることができ、この結果、冷凍室５，６における冷凍に要する時間の短縮化を図ることができる。
【００６４】
　また、本実施例では、急速冷凍運転時においても、冷凍室冷却モードと冷蔵室冷却モードとが交互に切替えられる構成としたので、冷蔵室３，４の温度上昇を抑えることができ、冷蔵室３，４の低温を維持することができる。さらには、急速冷凍運転の実行時において、圧縮機３７を高回転数で駆動すると共に、Ｆファン３３を高回転数で駆動する等の制御を行うようにしたので、急速冷凍運転時の冷却能力の向上を図る等のメリットも併せて得ることができるものである。
【００６５】
　図８ないし図１０は、本発明の第２ないし第４の実施例に係る、急速冷凍運転時の圧縮機３７の回転数（運転周波数）の制御の様子を夫々示している。図８に示す第２の実施例では、急速冷凍運転中の圧縮機３７の回転数（運転周波数）を、外気温センサ４８の検出した外気温によって変動させるようにしている。
【００６６】
　即ち、外気温が高い場合（例えば２５℃以上）には、運転周波数を例えば７０Ｈｚとし、外気温が中くらいの場合（例えば１５℃以上２５℃未満）には、運転周波数を例えば６２Ｈｚとし、外気温が低い場合（例えば１５℃未満）には、運転周波数を例えば５３Ｈｚとしている。これにより、急速冷凍運転の目的を果たしながら、外気温に応じて、圧縮機３７の回転数を必要以上に上げることを防止することができ、騒音の増加や冷凍室５，６の冷え過ぎによる露付き等を抑えることができる。
【００６７】
　図９に示す第３の実施例では、急速冷凍運転の実行開始初期の一定時間Ｔ（例えば１２０分）は、圧縮機３７の回転数（運転周波数）を許容最大回転数（例えば７０Ｈｚ）とし、その後の急速冷凍運転中の圧縮機３７の回転数を、外気温センサ４８の検出した外気温によって変動させるようにしている。この場合、やはり外気温を３段階に分けて、その際の運転周波数を、夫々例えば６２Ｈｚ、５３Ｈｚ、４８Ｈｚとしている。
【００６８】
　また、図１０に示す第４の実施例では、急速冷凍運転の実行開始初期において、自動製氷装置１８により所定回数ｎ回（例えば２回）の製氷が行われる（離氷動作が行われる）までは、圧縮機３７の回転数（運転周波数）を許容最大回転数（例えば７０Ｈｚ）とし、その後の急速冷凍運転中の圧縮機３７の回転数を、上記第３の実施例と同様に、外気温センサ４８の検出した外気温によって変動させるようにしている。
【００６９】
　これら第３及び第４の実施例によれば、圧縮機３７が許容最大回転数で駆動されるのは、急速冷凍運転の実行開始初期の一定の時間で済むので、急速冷凍運転の目的を果たしながら、圧縮機３７の回転数を必要以上に上げる（冷却能力を上げ過ぎる）ことを防止でき、騒音や露付き等の不具合を極力抑えることができるものである。
【００７０】
　尚、上記した実施例では、冷媒流路切替手段として三方弁４３を用いた構成の冷凍サイクル２５としたが、Ｒエバ２７とＦエバ３２とを並列に設けると共に一方の流路に開閉弁を設けて冷媒流路（冷却モード）を変更する構成とすることもできる等、冷凍サイクルの構成としては種々の変形が可能である。また、冷凍室６と製氷室５とを別個に制御できる場合には、各々ついて急速冷凍の指示を行い得る構成としても良い。
【００７１】
　その他、上記実施例では、Ｒ室温センサ１５及びＦ室温センサ２４の検出温度に基づいて冷却モードを切替える構成としたが、冷却モードの切替を時間制御により行う、例えば冷凍室冷却モードを４４分間実行し、冷蔵室冷却モードを１６分間実行することを交互に繰返すといった構成としても良い等、本発明は要旨を逸脱しない範囲内で、適宜変更して実施し得るものである。
【図面の簡単な説明】
【００７２】
【図１】本発明の第１の実施例を示すもので、三方弁，圧縮機，Ｆファンに対する制御の様子を示すタイムチャートである。
【図２】制御装置を中心とした電気的構成を示すブロック図である。
【図３】冷凍サイクルの構成図である。
【図４】冷蔵庫の全体構成を概略的に示す縦断側面図である。
【図５】除霜運転時における制御の様子を示すタイムチャートである。
【図６】プリクール運転時に急速冷凍スイッチがオン操作されたときの制御手順を示すフローチャートである。
【図７】除霜運転時に急速冷凍スイッチがオン操作されたときの制御手順を示すフローチャートである。
【図８】本発明の第２の実施例を示すもので、急速冷凍運転実行時の外気温と圧縮機の回転数と関係を示す図である。
【図９】本発明の第３の実施例を示す図８相当図である。
【図１０】本発明の第４の実施例を示す図８相当図である。
【符号の説明】
【００７３】
　図面中、１は冷蔵庫本体、３，４は冷蔵室、５，６は冷凍室、１５はＲ室温センサ、１８は自動製氷装置、２４はＦ室温センサ、２５は冷凍サイクル、２６は冷蔵室用蒸発器室、２７は冷蔵室用蒸発器、２８は冷蔵室用ファン、２９，３４は除霜ヒータ、３１は冷凍室用蒸発器室、３２は冷凍室用蒸発器、３３は冷凍室用ファン、３７は圧縮機、３８は冷却ファン、４３は三方弁（冷媒流路切替手段）、４７は制御装置、４８は外気温センサ、４９は急速冷凍スイッチを示す。
【図１】
2004003867.tif 000003
【図２】
2004003867.tif 000004
【図３】
2004003867.tif 000005
【図４】
2004003867.tif 000006
【図５】
2004003867.tif 000007
【図６】
2004003867.tif 000008
【図７】
2004003867.tif 000009
【図８】
2004003867.tif 000010
【図９】
2004003867.tif 000011
【図１０】
2004003867.tif 000012